(57)【特許請求の範囲】
【請求項１】
ユニットバスの天井裏部分の躯体に固定される吊りボルトに、上下に調整可能に取り付けられ、その外周側下面にユニットバスの天井に設けられた天井開口の周囲上面に当接するシール材を備えた吊り枠と、この吊り枠内に下側から挿入され、その下部に形成された本体フランジを吊り枠にねじ止め等して固定される浴室暖房機の本体とからなり、前記本体フランジの外周寸法は前記ユニットバスの天井開口の寸法より小さくし、前記吊り枠の４周に上下に取付位置調整が可能なシール用プレートを装着し、このシール用プレートの下面が前記ユニットバスの前記天井開口の周囲に対向するとともに、前記下面にシール材を備えた構成としたものであって、前記シール材が上向きあるいは下向きとなるように前記シール用プレートを反転自在に装着する構成としたことを特徴とする浴室暖房機。
【請求項２】
吊り枠の吊りボルトへの取り付け位置を、本体フランジおよび吊り枠の外周より外方とした請求項１記載の浴室暖房機。
【発明の詳細な説明】
【技術分野】
【０００１】
本発明は、浴室の天井裏箇所の躯体に取り付けられる浴室暖房機に関する。
【背景技術】
【０００２】
従来、この種の浴室暖房機として、ユニットバス設置前に本体を設置する先付け設置タイプとユニットバス設置後に本体を設置する後付け設置タイプがある。先付け設置タイプおよび後付け設置タイプのいずれのタイプも浴室内の湿気が天井裏に抜けないよう機器本体とユニットバス天井とをシールをする必要がある（例えば、特許文献１参照）。
【０００３】
以下、その浴室暖房機について、図１３および図１４を参照しながら説明する。
【０００４】
本体１０３に取り付けられた固定具１０４が、ユニットバス天井裏の躯体１０１に固定された吊りボルト１０２に固定される。
【０００５】
先付け設置タイプは図１３に示すように、本体１０３に設けたフランジ１０５の下面にパッキン１０６を貼り付け、ユニットバス搬入前に本体１０３を吊りボルト１０２に取り付けておき、ユニットバス搬入後本体１０３の位置を下げ、ユニットバス天井面の上側に接触させ設置することになる。その後浴室側から前記本体１０３にパネル１０７ａを取り付けることになる。
【０００６】
一方、後付け設置タイプは、図１４に示すように、ユニットバスを搬入した後、ユニットバス天井に設けた開口からフランジ１０５の上面にパッキン１０６を貼り付けた本体１０３を挿入し、天井裏の躯体１０１に固定された吊りボルト１０２に固定具１０４を引っ掛け、本体１０３を吊り上げてパッキン１０６がユニットバス天井下面に接触するように設置し、その後浴室側から前記本体１０３にパネル１０７ｂを取り付けることになる。
【特許文献１】特開２００１−５０５５２号公報（第１０頁、第１図、第２図）
【発明の開示】
【発明が解決しようとする課題】
【０００７】
このような従来の浴室暖房機では、吹き出しルーバー（図示せず）を設ける場合、パネル１０７側ではなく本体１０３側に設ける方が、構成上容易であるが、先付け設置の場合には天井厚さ分本体１０３とパネル１０７ａとに間があくため、吹き出しルーバーを本体１０３側ではなくパネル１０７ａ側に設ける必要があり、さらに吹き出しルーバーが可動の場合は、吹き出しルーバー駆動用モーターの配線を本体１０３側にある電装部と施工時に接続する必要があり、接続部を浴室の湿気から保護する必要があるとともに、種々のユニットバス天井厚さに対しても、本体１０３内部において吹き出しの空気が吸い込みの空気とショートサーキットを起こさないよう本体１０３内に仕切りを設ける必要があった。
【０００８】
このように、先付け設置タイプは後付け設置タイプとは異なる構成にする必要があった。
【０００９】
また、先付け設置タイプは、ユニットバスの天井の上面に本体１０３を設置するため、商品メンテナンス時に浴室側に本体１０３を下ろすことができないという課題を有していた。
【００１０】
さらに、パネル装着時にシール材を押し付けながら挿入する必要があり、押し付け方によってはシール材の破損が起こってしまうことがあった。
【００１１】
本発明は、このような従来の課題を解決するものであり、現場の設置が先付けか後付けかに係わらず同一の本体を使用できるとともに、ユニットバス天井厚さに左右されずに設置でき、先付け設置タイプでも、メンテナンス時に本体を浴室側に下ろすことができる浴室暖房機を提供することを目的としている。
【課題を解決するための手段】
【００１４】
本発明の浴室暖房機は上記目的を達成するために、ユニットバスの天井裏部分の躯体に固定される吊りボルトに、上下に調整可能に取り付けられ、その外周側下面にユニットバスの天井に設けられた天井開口の周囲上面に当接するシール材を備えた吊り枠と、この吊り枠内に下側から挿入され、その下部に形成された本体フランジを吊り枠にねじ止め等して固定される浴室暖房機の本体とからなり、前記本体フランジの外周寸法は前記ユニットバスの天井開口の寸法より小さくし、前記吊り枠の４周に上下に取付位置調整が可能なシール用プレートを装着し、このシール用プレートの下面が前記ユニットバスの前記天井開口の周囲に対向するとともに、前記下面にシール材を備えた構成としたものであって、前記シール材が上向きあるいは下向きとなるように前記シール用プレートを反転自在に装着する構成としたものである。
【００１８】
また他の手段は、吊り枠の吊りボルトへの取り付け位置を、本体フランジおよび吊り枠の外周より外方としたものである。
【発明の効果】
【００２１】
本発明によれば、先付け施工時と後付け施工時とでシール用プレートの取り付け方向を反転自在としたことにより、先付け施工、後付け施工に係わらず確実にユニットバスの天井面とのシールができる。
【００２５】
また、吊り枠の吊りボルトへの固定位置を本体フランジおよび吊り枠の外周の外側に設け、吊りボルト下端部より本体を高く吊り上げることができるようにしたことにより、先付け施工時にユニットバスの搬入もしくは設置時に本体が邪魔にならなくなる。
【発明を実施するための最良の形態】
【００２８】
本発明の請求項１記載の浴室暖房機は、ユニットバスの天井裏部分の躯体に固定される吊りボルトに、上下に調整可能に取り付けられ、その外周側下面にユニットバスの天井に設けられた天井開口の周囲上面に当接するシール材を備えた吊り枠と、この吊り枠内に下側から挿入され、その下部に形成された本体フランジを吊り枠にねじ止め等して固定される浴室暖房機の本体とからなり、前記本体フランジの外周寸法は前記ユニットバスの天井開口の寸法より小さくし、前記吊り枠の４周に上下に取付位置調整が可能なシール用プレートを装着し、このシール用プレートの下面が前記ユニットバスの前記天井開口の周囲に対向するとともに、前記下面にシール材を備えた構成としたものであって、前記シール材が上向きあるいは下向きとなるように前記シール用プレートを反転自在に装着する構成としたものであり、後付け設置時にはシール用プレートのシール面が本体のフランジ面と同一となるよう吊り枠に装着するとともに、シール面に貼り付けたシール材がユニットバスの天井の下面に当接するようにし、先付け設置時にはこのシール用プレートを上下反転させて吊り枠に固定して、ユニットバス設置後シール面のシール材がユニットバスの天井上面に当接するよう高さ調節を行なうことによって、同一のシール用プレートで先付け施工、後付け施工の対応ができ、また、後付け施工時にはユニットバスの天井の下面にシール用プレートが当接するよう高さ調節を行えばよいため、位置の確認がしやすい。
【００３２】
また、請求項２記載の浴室暖房機は、吊り枠の吊りボルトへの取り付け位置を、本体フランジおよび吊り枠の外周より外方としたものであり、先付け施工時、ユニットバス搬入時に干渉しないよう本体を極力上に吊下げておくが、吊り枠の吊りボルトへの取り付け位置が本体フランジおよび吊り枠の外周より外側になるため、本体が吊りボルト先端位置以上になるよう引き上げることができることとなる。
【００３３】
以下、本発明の実施の形態について図１〜図１２を参照しながら説明する。
【００３４】
（実施の形態１）
図１〜図３に示すように、ユニットバスの天井１の上方の躯体２に固定される吊りボルト３を設け、この吊りボルト３に逆Ｌ形状に形成され、ナット４により取り付けられる固定部６ａを設けるとともに、この固定部６ａと一体に形成され、枠形状に形成された枠部６ｂが設けられ、さらに、枠部６ｂに外方に向かう吊り枠フランジ６ｃが延設されている。これら固定部６ａ、枠部６ｂ、吊り枠フランジ６ｃによって吊り枠６が構成されている。
【００３５】
一方、ユニットバスの天井１には、この吊り枠６の枠部６ｂより大きく、かつ、吊り枠フランジ６ｃより小さく天井開口５が設けられている。また、吊り枠フランジ６ｃの外周側下面にはシール材であるパッキン８が貼り付けられている。このパッキン８はユニットバスの天井１の厚さの違う種類に対応できる厚さになっている。また、その下部に天井開口５より小さい寸法で形成された本体フランジ１０を備えた浴室暖房機の本体９が、枠部６ｂに浴室側から挿入され、本体フランジ１０が吊り枠フランジ６ｃにねじ等により浴室側から取り付けられている。さらに、本体９には、浴室側からねじ等により、吸込み口と吹出し口を備えたパネル１１が装着される。このとき、パネル１１の吹き出し口に可動ルーバー（図示せず）が取り付けられるときは、本体９側に装着されることになる。
【００３６】
上記構成において先付け施工時は、吊り枠６に本体９を取り付け一体としたものを、吊り枠フランジ６ｃがユニットバスの天井１よりも上方になるよう吊りボルト３にナット４で仮固定し、その後ユニットバスを設置してから吊り枠フランジ６ｃの下面に貼り付けたパッキン８が、ユニットバスの天井開口５の周囲上面に当接するまで吊りボルト３に取り付けたナット４の位置を下げることにより高さ調節を行う。その後、浴室側から本体９にパネル１１をねじ等により装着する。
【００３７】
一方、後付け施工時には、吊り枠６の固定部６ａを浴室側からユニットバスの天井１の上方に固定された吊りボルト３に、ユニットバスの天井開口５から固定部６ａに引っ掛け固定し、さらに吊りボルト３に装着されたナット４により吊り枠６の高さ調整を行い、吊り枠フランジ６ｃの下面に貼り付けたパッキン８が、ユニットバスの天井１の下面に当接するように調整する。その後、浴室側から本体９を枠部６ｂから挿入し、浴室側から本体フランジ１０を枠部６ｂにねじ等により固定し、その後、先付け施工と同様に浴室側から本体９にパネル１１をねじ等により装着する。
【００３８】
このように本実施の形態１の浴室暖房機によれば、先付け設置においても後付け設置においても同一の本体９を使用して設置することができ、ユニットバスの天井１の厚さが異なっても、吊り枠フランジ６ｃに貼り付けたパッキン８を圧縮することにより吸収でき、施工性の自由度向上が図れるとともに、メンテナンス等で製品本体９を下ろす必要が生じた場合にも、先付け設置、後付け設置に係わらず浴室側に本体９を外すことができるようになる。
【００３９】
（実施の形態２）
次に実施の形態２について説明する。
【００４０】
なお、上記実施の形態１と同じ構成要素については同じ符号を付し、その説明は省略する。
【００４１】
図４および図５に示すように、吊りボルト３に固定された吊り枠６Ａの枠部６Ａｂには側面に上下方向に長く形成した長穴１２が設けられ、この長穴１２に枠状のシール用プレート１３をねじ１４により取り付ける。そして、シール用プレート１３の外周側下面にはユニットバスの天井１に当接するようパッキン８が貼り付けられている。
【００４２】
上記構成において、本体フランジ１０がユニットバスの天井１の下面と同一の高さとなるように調節した後、ユニットバスの天井１の厚さに応じて、ねじ１４を緩めシール用プレート１３に貼り付けたパッキン８ｂがユニットバスの天井１に当接するように調整する。
【００４３】
このように本実施の形態２の浴室暖房機によれば、ユニットバスの天井１の厚さの違いに係わらず、確実なシールが可能となる。
【００４４】
（実施の形態３）
次に実施の形態３について説明する。
【００４５】
なお、上記実施の形態２と同じ構成要素については同じ符号を付し、その説明は省略する。
【００４６】
実施の形態３の特徴は、図６〜図８に示すように、先付け施工時には、シール用プレート１３に貼り付けたパッキン８がユニットバスの天井１の上面に当接するようにシール用プレート１３を吊り枠６Ｂに装着し、また、後付け施工時には、パッキン８が天井１の下面に当接するうに装着し、このようにシール用プレート１３を上下反転させて装着することにある。
【００４７】
このような構成により、同一のシール用プレート１３で先付け施工、後付け施工のいずれにも対応ができるとともに、後付け施工時には、ユニットバスの天井１の下面、すなわち浴室側の面にシール用プレート１３がパッキン８を介して当接するよう高さ調節を行えばよいため、位置の確認がしやすくなる。
【００４８】
（実施の形態４）
次に実施の形態４について説明する。
【００４９】
なお、実施の形態１と同じ構成要素については同じ符号を付し、その説明は省略する。
【００５０】
図９に示すように、ユニットバスの天井開口５の寸法より外周寸法を小さく形成した吊り枠６Ｃの吊り枠フランジ６Ｃｃに、同じく天井開口５の寸法より小さく形成した本体フランジ１０を固定し、先付け施工時には、ユニットバスを設置する前に吊り枠６Ｃと本体９をあらかじめ吊りボルト３に装着し、ユニットバスの天井１高さより高い位置に本体９を吊り上げておく。その後ユニットバスを設置し、本体フランジ１０がユニットバス天井１の下面と同一の高さになるようナット４により調整する。さらに、ユニットバス天井裏において、ユニットバスの天井１と吊り枠フランジ６Ｃｃとの隙間に長方形に形成したパッキン８Ａを４辺に貼り付け、ユニットバスから天井裏への湿気が抜けることを防止する。
【００５１】
また、後付け施工時には、ユニットバスを設置した後、吊りボルト３に吊り枠６Ｃを浴室側から設置し、この吊り枠６Ｃに本体９を取り付けた後、本体フランジ１０がユニットバスの天井１の下面と同一の高さになるよう調節し、さらに、ユニットバス天井裏において、ユニットバスの天井１と吊り枠フランジ６Ｃｃとの隙間に長方形に形成したパッキン８Ａを４辺に貼り付け、浴室から天井裏へ湿気が抜けることを防止する。
【００５２】
このように本実施の形態４の浴室暖房機によれば、先付け施工、後付け施工に係わらずパッキン８Ａのみによりシールをすることが可能となり、安価で施工が可能となる。また、ユニットバスの天井１の厚さが厚く吊り枠フランジ６Ｃｃとの間に段差が生じる場合は、吊り枠フランジ６Ｃｃに高さ調整用のパッキン（図示せず）を貼り付けることにより、段差を解消することが可能となる。
【００５３】
（実施の形態５）
次に実施の形態５について説明する。
【００５４】
なお、実施の形態１と同じ構成要素については同じ符号を付し、その説明は省略する。
【００５５】
図１０に示すように、先付け設置、後付け設置にかかわらず、ユニットバスの天井１に対し、本体フランジ１０の高さが同一になるよう吊りボルト３に装着したナット４で調節した後、浴室側から本体フランジ１０にねじもしくは嵌合により固定され、ユニットバスの天井１の浴室側と当接し、ユニットバスの天井１と本体９との隙間を塞ぐよう板状に形成されたシールプレート１６が装着される。
【００５６】
このように本実施の形態５の浴室暖房機によれば、先付け設置、後付け設置にかかわらず簡単に、浴室から天井裏への湿気漏れを防止することができるとともに、本体９と天井１との高さ調整を確実に実施することが可能となる。
【００５７】
（実施の形態６）
次に実施の形態６について説明する。
【００５８】
なお、実施の形態１と同じ構成要素については同じ符号を付し、その説明は省略する。
【００５９】
図１１に示すように、本体フランジ１０Ａの外周下面に凸部１７を周状に形成してある。一方、浴室側から本体９に装着され、吸い込み口、吹き出し口を備えたパネル１１Ａの天井面側には、本体９側の凸部１７と対向する位置に凹形状の溝部１８が形成され、この溝部１８の底面にパッキン８Ｂが貼り付けてある。
【００６０】
上記構成において、先付け設置、後付け設置にかかわらず、ユニットバスの天井１に対し、本体フランジ１０Ａの高さが同一になるよう吊りボルト３に装着したナット４で調節した後、浴室側から本体９にパネル１１Ａをねじ等により取り付ける。このとき、本体フランジ１０Ａの下面に形成された凸部１７は、パネル１１Ａに形成された溝部１８に貼られたパッキン８Ｂに当接することになる。
【００６１】
このように本実施の形態６の浴室暖房機によれば、本体９とパネル１１Ａの間でシールすることにより、天井面への荷重をかけずにユニットバスの天井１と本体９とをシールすることが可能となる。
【００６２】
（実施の形態７）
次に実施の形態７について説明する。
【００６３】
なお、実施の形態１と同じ構成要素については同じ符号を付し、その説明は省略する。
【００６４】
図１２に示すように、ユニットバスの天井裏の躯体２に固定される吊りボルト３に逆Ｌ形状に形成され、ナット４により取り付けられる吊り枠６Ｄの固定部６Ｄａが設けられるとともに、この固定部６ＤＡａが４か所一体に取り付けられ、枠形状に形成された枠部６Ｄｂが設けられ、この枠部６Ｄｂに本体９が挿入され、枠部６Ｄｂに外方へ延設された吊り枠フランジ６Ｄｃに浴室側から固定されている。そして、固定部６Ｄａが取り付けられる吊りボルト３の貫通位置は、吊り枠フランジ６Ｄｃおよび本体フランジ１０の外周に対し外側に位置するよう設けられている。
【００６５】
先付け施工時には、ユニットバス搬入時に吊り枠フランジ６Ｄｃおよび本体フランジ１０とユニットバスの天井１とが干渉しないよう、本体９を極力上に吊下げておく必要があるが、上記構成により、吊りボルト３の位置が吊り枠フランジ６Ｄｃおよび本体フランジ１０の外周より外側に位置するため、本体フランジ１０の高さ位置が吊りボルト３の先端位置以上になるよう引き上げることが可能となる。
【産業上の利用可能性】
【００６６】
本体、吊り枠およびパネルから構成され居住空間と天井裏空間との気密性を確保する必要のある空調機の設置にも適用できる。
【図面の簡単な説明】
【００６７】
【図１】本発明の実施の形態１の浴室暖房機を示すシステム図
【図２】同浴室暖房機の設置状態を示す断面図
【図３】同浴室暖房器のシール部を示す詳細図
【図４】本発明の実施の形態２の浴室暖房機の設置状態を示す断面図
【図５】同浴室暖房器のシール部を示す詳細図
【図６】本発明の実施の形態３の浴室暖房機の設置状態を示す断面図
【図７】同浴室暖房器の先付け施工時におけるシール部を示す詳細図
【図８】同浴室暖房器の後付け施工時におけるシール部を示す詳細図
【図９】本発明の実施の形態４の浴室暖房機の設置状態を示す断面図
【図１０】本発明の実施の形態５の浴室暖房機の設置状態を示す断面図
【図１１】本発明の実施の形態６の浴室暖房機の設置状態を示す断面図
【図１２】本発明の実施の形態７の浴室暖房機の設置状態を示す断面図
【図１３】従来の浴室暖房機の先付け設置を示す断面図
【図１４】同従来の浴室暖房機の後付け設置を示す断面図
【符号の説明】
【００６８】
１      天井
２      躯体
３      吊りボルト
５      天井開口
６      吊り枠
６Ａ    吊り枠
６Ｂ    吊り枠
６Ｃ    吊り枠
６Ｄ    吊り枠
８      パッキン
８Ａ    パッキン
８Ｂ    パッキン
９      本体
１０    本体フランジ
１０Ａ  本体フランジ
１１Ａ  パネル
１３    シール用プレート
１６    シールプレート
１７    凸部
１８    溝部
【図１】
0004816625.tif 000002
【図２】
0004816625.tif 000003
【図３】
0004816625.tif 000004
【図４】
0004816625.tif 000005
【図５】
0004816625.tif 000006
【図６】
0004816625.tif 000007
【図７】
0004816625.tif 000008
【図８】
0004816625.tif 000009
【図９】
0004816625.tif 000010
【図１０】
0004816625.tif 000011
【図１１】
0004816625.tif 000012
【図１２】
0004816625.tif 000013
【図１３】
0004816625.tif 000014
【図１４】
0004816625.tif 000015